(57)【要約】【課題】スペースの有効活用を図って効率良く小型化を図ることができる魚釣用リールの提供を目的としている。【解決手段】本発明の魚釣用リールでは、釣糸案内体９１を左右に往復動する螺軸３１の端部に設けた端部ギア１２２を、ハンドル軸６の基部に取り付け固定した連動ギア２１に噛合させている。また、ハンドル軸６と一体に回転する逆転防止体３２の外周の係止部３２ａに係止爪６０が係合することにより、ハンドル軸６の逆回転が防止される。逆転防止体３２は、その少なくとも外周の係止部３２ａが端部ギア１２２の上方に離間して重合するように、ハンドル軸６に一体回転可能に設けられている。また、逆転防止体３２の係止部３２ａに係合する係止爪６０は、端部ギア１２２の上方に離間して重合するように、リール本体１に揺動可能に支持されている。【選択図】図２
2010148445.tif 000002
【特許請求の範囲】
【請求項１】
リール本体の側板間に回転自在に支持したスプールの前方に、スプールに釣糸を平行に巻回する釣糸案内体を、一方の側板に設けた巻き取り駆動機構のハンドル軸の回転操作に連動して左右に往復動可能に設けた魚釣用リールにおいて、
釣糸案内体を左右に往復動する螺軸の端部に設けた端部ギアを、ハンドル軸の基部に取り付け固定した連動ギアに噛合させ、ハンドル軸と一体に回転する逆転防止体の外周の係止部に係止爪が係合することによりハンドル軸の逆回転が防止され、
前記逆転防止体を、その少なくとも外周の係止部が前記端部ギアの上方に離間して重合するように、ハンドル軸に一体回転可能に設けるとともに、前記逆転防止体の係止部に係合する前記係止爪を、前記端部ギアの上方に離間して重合するように、リール本体に揺動可能に支持することを特徴とする魚釣用リール。
【請求項２】
前記係止爪の巻き取り駆動方向における揺動範囲を規制する規制部を前記側板の内側部に形成することを特徴とする請求項１に記載の魚釣用リール。
【発明の詳細な説明】
【技術分野】
【０００１】
本発明は、リール本体の側板間に回転自在に支持したスプールの前方に、釣糸を平行にスプールに巻回案内する釣糸案内体を有するレベルワインド機構を備えた魚釣用リールに関する。
【背景技術】
【０００２】
レベルワインド機構は、巻き取り駆動機構に連動して左右に往復動する釣糸案内体をスプール前方の側板間に備え、この釣糸案内体のラインガイド孔を介して釣糸がスプールに案内される。
【０００３】
また、巻き取り駆動機構に連動するレベルワインド機構の駆動部は、ハンドル軸に回転可能に摩擦結合するドライブギアまたはハンドル軸の基部に取り付け固定した連動ギアに対して、釣糸案内体に設けた係合ピンが係合する螺旋溝を有する螺軸の端部に固定した端部ギアが噛合する（特許文献１および特許文献２参照）。
【特許文献１】実開平３−６７５７１号
【特許文献２】実開昭５６−１０３８０号
【発明の開示】
【発明が解決しようとする課題】
【０００４】
ところで、特許文献１の場合は、ピニオンに噛合するドライブギアに螺軸の端部ギアを噛合させて、レベルワインド機構に動力を伝達する構造であるため、リール本体の前方側が大型化するとともに、ピニオンと一緒にドライブギアを端部ギアに噛み合わせての組み込みとなるため、作業性に劣り、また、ギアの歯面に傷を付け易い。
【０００５】
一方、特許文献２の場合は、ドライブギア下方のハンドル軸基部に取り付け固定した連動ギアに螺軸の端部ギアを噛合させて、レベルワインド機構に動力を伝達する構造であるため、特許文献１に比べて前方側への突出量が抑えられて大型化を抑制できるが、ハンドル軸の逆回転を防止する逆転防止体（ラチェット）とそれに係止する係止爪の軸方向上方に装着した連動ギアを、螺軸の端部ギアに噛合させる動力伝達機構のため、螺軸の端部ギアが軸方向外方に突出するとともに、ラチェットに係合する係止爪が螺軸の端部ギアよりも後方および上方に大きく離間したギアボックス内に配設されているため、ギアボックス自体が大きくなり、したがって、リール全体が大型化してしまうという問題がある。
【０００６】
本発明は、前記事情に着目してなされたものであり、その目的とするところは、スペースの有効活用を図って効率良く小型化を図ることができる魚釣用リールを提供することにある。
【課題を解決するための手段】
【０００７】
前記課題を解決するために、本発明は、リール本体の側板間に回転自在に支持したスプールの前方に、スプールに釣糸を平行に巻回する釣糸案内体を、一方の側板に設けた巻き取り駆動機構のハンドル軸の回転操作に連動して左右に往復動可能に設けた魚釣用リールにおいて、釣糸案内体を左右に往復動する螺軸の端部に設けた端部ギアを、ハンドル軸の基部に取り付け固定した連動ギアに噛合させ、ハンドル軸と一体に回転する逆転防止体の外周の係止部に係止爪が係合することによりハンドル軸の逆回転が防止され、前記逆転防止体を、その少なくとも外周の係止部が前記端部ギアの上方に離間して重合するように、ハンドル軸に一体回転可能に設けるとともに、前記逆転防止体の係止部に係合する前記係止爪を、前記端部ギアの上方に離間して重合するように、リール本体に揺動可能に支持することを特徴とする。
【０００８】
上記構成によれば、逆転防止体の少なくとも外周の係止部が端部ギアの上方に離間して重合するように設けられるとともに、逆転防止体の係止部に係合する係止爪が端部ギアの上方に離間して重合するように設けられるため、リール本体内（ギアボックス内）の限られたスペースを有効に活用して、ハンドル軸の逆回転の防止を図る爪式逆転防止機構を効率良く配設することができ、したがって、リール本体の小型化が可及的に可能となる。
【発明の効果】
【０００９】
本発明によれば、スペースの有効活用を図って効率良く小型化を図ることができる魚釣用リールを提供できる。
【発明を実施するための最良の形態】
【００１０】
以下、図面を参照して、本発明に係る魚釣用リールの実施形態について具体的に説明する。  
本実施形態の魚釣用リールのリール本体１は、左右フレーム２ａ，２ｂと、各フレームに対し、所定の空間をもって装着される左右側板３ａ，３ｂとを備えており、一方の側板側（本実施形態では左側板３ａ側）には、ハンドル５を装着したハンドル軸６が回転可能に支持されている。
【００１１】
左右側板３ａ，３ｂ間には、釣糸が巻回されるスプール７が取り付けられたスプール軸８が回転可能に支持されており、スプール７は、ハンドル軸６に取り付けられている駆動歯車１０およびスプール軸８に係脱可能に支持されているピニオン１２を具備した巻取り駆動機構１３を介して、ハンドル５の回転操作によって回転駆動されるように構成されている。
【００１２】
ハンドル軸６には、スプール７に対する制動力を調節する公知のドラグ機構を操作するための回転体１６（ドラグ調節体）が設けられており、この回転体１６を回転操作することにより、釣糸繰出時のスプール回転に所望の制動力が付与されるようになっている。また、ピニオン１２には、公知のクラッチ機構１７が係合しており、スプール後方のクラッチレバーを押し下げることでスプール軸８との係合を解除してクラッチＯＦＦ（スプールフリー状態）とし、ハンドル５を巻取り操作することで、クラッチＯＦＦからクラッチＯＮ（スプール回転状態）に自動復帰できるようになっている。
【００１３】
巻取り駆動機構１３には、複数の動力伝達用の歯車を具備した動力伝達機構２０が連結されている。本実施形態における動力伝達機構２０は、駆動歯車１０と隣接するようにハンドル軸６の基部に取り付け固定された連動ギア２１と、この連動歯車２１に噛合すると共にスプール７に釣糸を平行に巻回するよう左右に往復動する公知のレベルワインド装置３０を構成する螺軸３１の端部に取り付けられた端部ギア１２２（図２および図３参照）とを有している。
【００１４】
ピニオン１２は、スプール軸８と同軸的に延出し且つ左側板３ａに軸受を介して回転可能に支持されたピニオン軸８ｂに設けられており、このピニオン軸８ｂに沿って軸方向に移動できる。また、ピニオン１２の外周には円周溝１２ａが形成されており、この円周溝１２ａには、ピニオン１２を軸方向に移動させるクラッチ機構１７の後述する作動部材（ヨーク）２２が係合している。
【００１５】
また、ピニオン１２は、スプール軸８の端部に形成された断面が非円形の係合部と嵌合する嵌合部を端部に有しており、作動部材２２によってスプール７側に移動されると、前記嵌合部がスプール軸８の前記係合部に嵌合状態で係合してハンドル５の操作力（駆動歯車１０の回転駆動力）をスプール軸８（スプール７）に伝達する（前記クラッチＯＮ状態（釣糸巻取状態））とともに、作動部材２２によって左側板３ａ側に移動されると、前記嵌合部がスプール軸８の前記係合部から外れてハンドル５の操作力をスプール軸８（スプール７）に伝達しない（前記クラッチＯＦＦ状態（釣糸放出状態））。
【００１６】
図３に示されるように、クラッチ機構１７は、スプール軸８を中心に回動可能なクラッチ作動板５０と、クラッチ作動板５０の回動動作に連動してピニオン軸８ｂに沿って移動する前記作動部材２２とを備えている。この場合、作動部材２２は、前述したようにピニオン１２の円周溝１２ａに略１８０°に亘って嵌合するとともに、径方向に延出する一対の腕部２２ａ，２２ｂを有している。
【００１７】
また、クラッチ作動板５０は、係合部材４０を介して、指当て部材５１に連結されている。この場合、係合部材４０は、クラッチ作動板５０からこれと略垂直に延びるとともに、左フレーム２ａに上下にわたって形成された長孔７９を貫通している。
【００１８】
クラッチ作動板５０の表面には、作動部材２２と係合可能な一対のカム面２３が形成されている。これらのカム面２３は、クラッチ作動板５０の回動に伴って作動部材２２の各腕部２２ａ，２２ｂの裏面に対して係脱し、作動部材２２をピニオン軸８ｂに沿って移動させる。なお、作動部材２２は、左フレーム２ａに突設された支持ピン２５によって各腕部２２ａ，２２ｂが保持されており、各支持ピン２５に配設されたバネ部材（図示せず）によりクラッチ作動板５０に向けて常時付勢されている。
【００１９】
また、クラッチ機構１７には、カム面２３が作動部材２２の各腕部２２ａ，２２ｂの裏面に係合するクラッチＯＦＦ状態でハンドル５を巻取り操作した際に、自動的にクラッチ作動板５０をクラッチＯＮ状態に復帰させるハンドル自動復帰機構が設けられている。このハンドル自動復帰機構は、クラッチ作動板５０の支点ピン８０に回動可能に支持されたキックレバー１３０と、このキックレバー１３０と左フレーム２ａとの間に設けられ且つキックレバー１３０を所定の位置で保持する振り分けバネ部材３１とを備えて構成されている。キックレバー１３０には当接部が形成されており、該当接部は、案内溝８２に沿って案内され、ハンドル軸６に回り止め固定され且つ外周に係止部３２ａが形成されたラチェット（逆転防止体）３２に係合できるようになっている。また、公知のように、このラチェット３２の外周の係止部３２ａに係止爪６０が係合することによりハンドル軸６の逆回転が防止されるが、係止爪６０は、支軸６９を介してリール本体に対して揺動可能に支持される。この場合、係止爪６０には、これとの間でラチェット３２の係止部３２ａを挟持できるように挟持用板バネ６２が一体に設けられている。また、図３に矢印で示される巻き取り駆動方向における係止爪６０の揺動範囲を規制するために、左側板３ａの内側部、具体的には左フレーム２ａには、突起状の規制部６３が係止爪６０と当接可能に設けられている。
【００２０】
また、本実施形態において、前述したレベルワインド装置３０は、図２および図３に示されるように、リール本体１の側板３ａ，３ｂ間に回転自在に支持したスプール７の前方に、スプール７に釣糸を平行に巻回する釣糸案内体９１を有しており、釣糸案内体９１は、一方の側板３ａに設けた巻き取り駆動機構１３のハンドル軸６の回転操作に連動して左右に往復動可能に設けられている。これは、ハンドル軸６の基部に取り付け固定した連動ギア２１に対して、釣糸案内体９１に設けた係合ピン９３が係合する螺旋溝３１ａを有する螺軸３１の端部に固定した端部ギア１２２が噛合することによって実現される。なお、本実施形態では、端部ギア１２２の歯部を除く上面に凹部９７が形成されており、この凹部９７内に端部ギア１２２を抜け止め固定する止め具１２２ａが収容されている。
【００２１】
以上のように構成される本実施形態の魚釣用リールにおいて、ラチェット３２は、図２および図３に明確に示されるように、その少なくとも外周の係止部３２ａが端部ギア１２２の上方に離間して重合するように、ハンドル軸６に一体回転可能に設けられている。また、ラチェット３２の係止部３２ａに係合する係止爪６０は、端部ギア１２２の上方に離間して重合するように、リール本体に揺動可能に支持されている。このような重合離間配置構成によれば、リール本体内（ギアボックス内）の限られたスペースを有効に活用して、ハンドル軸６の逆回転の防止を図る爪式逆転防止機構を効率良く配設することができ、したがって、リール本体の小型化が可及的に可能となる。
【００２２】
図４および図５は上記実施形態の第１の変形例を示している。図示のように、本変形例では、螺軸３１が、巻き取り駆動方向における係止爪６０の揺動範囲を規制する規制部６３を兼ねている。すなわち、前述した実施形態における螺軸３１を軸方向に延出することにより規制部６３が形成されている。このような構成によれば、規制部６３を別個に設けなくて済むため、製造コストを低く抑えることができるだけでなく、既存のスペースを利用して規制部６３を構成できるため（規制部６３のためのスペースを確保しなくて済むため）、リール本体の小型化に寄与できる。
【００２３】
図６は上記実施形態の第２の変形例を示している。図示のように、本変形例では、係止爪６０が、トーションスプリング９９によって、係止部３２ａと係止する方向へ常時付勢されている。このような構成によれば、規制部６３が不要になり、また、挟持用板バネ６２も省くことができるため、部品点数が削減され、製造コストを低く抑えることができるとともに、リール本体の小型化に寄与できる。
【図面の簡単な説明】
【００２４】
【図１】本発明の一実施形態に係る魚釣用リールの正面図である。
【図２】図１の魚釣用リールの一部断面を有する正面図である。
【図３】図１の魚釣用リールの断面図である。
【図４】図１の実施形態の第１の変形例に係る魚釣用リールの正面図である。
【図５】図４の魚釣用リールの断面図である。
【図６】図１の実施形態の第２の変形例に係る魚釣用リールの要部構成図である。
【符号の説明】
【００２５】
１  リール本体
３ａ，３ｂ  側板
６  ハンドル軸
７  スプール
２１  連動ギア
１２２  端部ギア
３１  螺軸
３２  ラチェット（逆転防止体）
３２ａ  係止部
６０  係止爪
６３  規制部
９１  釣糸案内体
【図１】
2010148445.tif 000003
【図２】
2010148445.tif 000004
【図３】
2010148445.tif 000005
【図４】
2010148445.tif 000006
【図５】
2010148445.tif 000007
【図６】
2010148445.tif 000008